(57)【要約】【課題】情報処理機器の各種の処理動作時において、リモートコントロール装置の使い勝手の向上を図る。【解決手段】筐体２に回転自在に支持された回転操作摘子４と、複数の異なる色で発光可能な発光素子７と、情報処理機器１００からの指令信号又は回転操作摘子に対する操作に基づいて発光素子の発光状態を制御する制御部８とを設け、発光素子を情報処理機器からの指令信号の種類に応じた色で発光させるようにした。【選択図】　　　　図６
2004102491.tif 000002
【特許請求の範囲】
【請求項１】
情報処理機器における各種の処理動作時に該情報処理機器に対して操作信号を送出して操作するリモートコントロール装置であって、
筐体に回転自在に支持された回転操作摘子と、
複数の異なる色で発光可能な発光素子と、
上記処理動作時における情報処理機器からの指令信号又は回転操作摘子に対する操作に基づいて発光素子の発光状態を制御する制御部とを備え、
上記発光素子が情報処理機器からの指令信号の種類に応じた色で発光されるようにした
ことを特徴とするリモートコントロール装置。
【請求項２】
上記発光素子を複数設けて回転操作摘子の周方向に離間して配置し、
回転操作摘子に対する操作速度に応じて複数の発光素子の発光のタイミングを変更するようにした
ことを特徴とする請求項１に記載のリモートコントロール装置。
【請求項３】
上記発光素子を複数設けて回転操作摘子の周方向に離間して配置し、
回転操作摘子に対する操作方向に応じて複数の発光素子の発光の順序を変更するようにした
ことを特徴とする請求項１に記載のリモートコントロール装置。
【請求項４】
情報処理機器における各種の処理動作時に該情報処理機器に対して操作信号を送出して操作するリモートコントロール装置による制御方法であって、
リモートコントロール装置は、
筐体に回転自在に支持された回転操作摘子と、
複数の異なる色で発光可能な発光素子と、
上記処理動作時における情報処理機器からの指令信号又は回転操作摘子に対する操作に基づいて発光素子の発光状態を制御する制御部とを備え、
情報処理機器から送出された指令信号の種類を制御部によって判別し、
制御部による判別結果に応じた色で発光素子を発光させるようにした
ことを特徴とするリモートコントロール装置による制御方法。
【請求項５】
情報処理機器における各種の処理動作時に該情報処理機器に対して操作信号を送出して操作するリモートコントロール装置による制御プログラムであって、
リモートコントロール装置は、
筐体に回転自在に支持された回転操作摘子と、
複数の異なる色で発光可能な発光素子と、
上記処理動作時における情報処理機器からの指令信号又は回転操作摘子に対する操作に基づいて発光素子の発光状態を制御する制御部とを備え、
情報処理機器から送出された指令信号が制御部に入力される入力ステップと、
入力された指令信号の種類を制御部によって判別する判別ステップと、
判別結果に応じた色で発光素子を発光させる発光信号を制御部から送出する送出ステップとを備えた
ことを特徴とするリモートコントロール装置による制御プログラム。
【発明の詳細な説明】
【０００１】
【発明の属する技術分野】
本発明はリモートコントロール装置、リモートコントロール装置による制御方法及びリモートコントロール装置による制御プログラムに関する。詳しくは、情報処理機器の各種の処理動作時において、リモートコントロール装置の使い勝手の向上を図る技術分野に関する。
【０００２】
【従来の技術】
情報処理機器として、例えば、パーソナルコンピュータ、画像編集や音楽編集等を行うことができる各種の編集機器、ＰＤＡ（Ｐａｓｏｎａｌ　Ｄｉｇｉｔａｌ　Ａｓｓｉｓｔａｎｃｅ）、ネットワーク端末やワークステーション等があり、このような情報処理機器における編集作業等の各種の処理動作時にリモートコントロール装置を用いる場合がある。
【０００３】
このようなリモートコントロール装置には、筐体に回転自在に支持された回転操作摘子と、一直線上に配置された複数の発光素子から成る表示エリアとを備え、例えば、編集機能を有する録音再生機に接続され、編集作業において編集対象となる選択範囲や現在の再生位置を、発光素子を発光させることにより表示エリアに表示するようにしたものがある（特許文献１参照）。
【０００４】
また、従来のリモートコントロール装置として、パーソナルコンピュータに接続されて主にビデオ編集作業時に使用され、例えば、回転操作摘子を回転操作することにより簡単にコマ送り等を行うことができるようにしたものがある（非特許文献１参照）。
【０００５】
【特許文献１】
特開平９―２８２８４７
【非特許文献１】
小寺信良、“小寺信良の週間「Ｅｌｅｃｔｒｉｃ　Ｚｏｏｍａ！」”、［ｏｎｌｉｎｅ］、［平成１４年８月１９日検索］、インターネット＜ＵＲＬ：ｈｔｔｐ：／／ｗｗｗ．ｗａｔｃｈ．ｉｍｐｒｅｓｓ．ｃｏ．ｊｐ／ａｖ／ｄｏｃｓ／２００１０５０２／ｚｏｏｍａ０８．ｈｔｍ＞
【０００６】
【発明が解決しようとする課題】
ところが、従来のリモートコントロール装置を用いた場合には、例えば、パーソナルコンピュータにおいて複数のソフトウェアを使用する場合に、リモートコントロール装置によって現在操作可能なソフトウェアを把握するためには、パーソナルコンピュータのディスプレイ中の該当する文字表示を読むことにより確認する必要があり、利便性に欠けるという問題があった。
【０００７】
そこで、本発明リモートコントロール装置は、上記した問題点を克服し、情報処理機器の各種の処理動作時において、リモートコントロール装置の使い勝手の向上を図ることを課題とする。
【０００８】
【課題を解決するための手段】
本発明リモートコントロール装置は、上記した課題を解決するために、筐体に回転自在に支持された回転操作摘子と、複数の異なる色で発光可能な発光素子と、上記処理動作時における情報処理機器からの指令信号又は回転操作摘子に対する操作に基づいて発光素子の発光状態を制御する制御部とを設け、上記発光素子を情報処理機器からの指令信号の種類に応じた色で発光させるようにしたものである。
【０００９】
本発明リモートコントロール装置による制御方法は、上記した課題を解決するために、リモートコントロール装置に、筐体に回転自在に支持された回転操作摘子と、複数の異なる色で発光可能な発光素子と、上記処理動作時における情報処理機器からの指令信号又は回転操作摘子に対する操作に基づいて発光素子の発光状態を制御する制御部とを設け、情報処理機器から送出された指令信号の種類を制御部によって判別し、制御部による判別結果に応じた色で発光素子を発光させるようにしたものである。
【００１０】
本発明リモートコントロール装置による制御プログラムは、上記した課題を解決するために、リモートコントロール装置に、筐体に回転自在に支持された回転操作摘子と、複数の異なる色で発光可能な発光素子と、上記処理動作時における情報処理機器からの指令信号又は回転操作摘子に対する操作に基づいて発光素子の発光状態を制御する制御部とを設け、情報処理機器から送出された指令信号が制御部に入力される入力ステップと、入力された指令信号の種類を制御部によって判別する判別ステップと、判別結果に応じた色で発光素子を発光させる発光信号を制御部から送出する送出ステップとを設けたものである。
【００１１】
従って、本発明リモートコントロール装置、リモートコントロール装置による制御方法及びリモートコントロール装置による制御プログラムにあっては、情報処理機器からの指令信号に基づいて発光素子が発光される。
【００１２】
【発明の実施の形態】
以下に、本発明リモートコントロール装置、リモートコントロール装置による制御方法及びリモートコントロール装置による制御プログラムの実施の形態を添付図面に従って説明する。尚、以下に示した実施の形態は、本発明を、情報処理機器としてのパーソナルコンピュータに接続されるリモートコントロール装置に適用したものである。
【００１３】
リモートコントロール装置１が接続されるパーソナルコンピュータ１００は、例えば、装置本体１０１と該装置本体１０１に回動自在に支持されたディスプレイ１０２とを備え、装置本体１０１に複数の操作キーを有するキーボード１０３が設けられている（図１参照）。
【００１４】
リモートコントロール装置１は扁平な筐体２に所要の各機構及び各部材が設けられて成り、筐体２から導出された接続ケーブル３を介してパーソナルコンピュータ１００の図示しない接続コネクター、例えば、ＵＳＢ（Ｕｎｉｖｅｒｓａｌ　Ｓｅｒｉａｌ　Ｂｕｓ）コネクターと接続されている。従って、リモートコントロール装置１を操作することにより、操作の種類に応じた操作信号がパーソナルコンピュータ１００に送出され、パーソナルコンピュータ１００において操作信号に応じた所定の各処理が行われる。一方、パーソナルコンピュータ１００の操作キー等を操作することにより、操作の種類に応じた指令信号をリモートコントロール装置１に送出することも可能であり、この場合には、リモートコントロール装置１において指令信号に応じた所定の各処理が行われる。
【００１５】
筐体２の上面の略中央部には、回転操作摘子４が回転自在に支持されている（図２参照）。回転操作摘子４は円環状に形成され、上面に操作時に指を宛うための操作凹部４ａが形成されている。回転操作摘子４には筐体２の内部に配置された後述する回転角度検出部が設けられており、該回転角度検出部は回転操作摘子４の所定の回転角度（１クリック）の回転操作毎に１パルスを発生する。
【００１６】
筐体２の回転操作摘子４の内側の位置には、センター摘子５が配置されている。センター摘子５は上下左右の４方向への操作及び押圧操作が可能とされている。
【００１７】
筐体２の上面には、６つの操作釦Ａ、Ｂ、Ｃ、Ｄ、Ｅ、Ｆ（以下、それぞれ「Ａ釦」、「Ｂ釦」、「Ｃ釦」、「Ｄ釦」、「Ｅ釦」、「Ｆ釦」と言う。）が各別に配置されている。
【００１８】
筐体２の回転操作摘子４の外周縁に対応する部分は、透明材料によって形成された透光部２ａとして形成されている。
【００１９】
筐体２の内部には回路基板６が配置されており、該回路基板６に、例えば、４つの発光素子７、７、・・・、例えば、発光ダイオードが搭載されている。発光素子７、７、・・・は、筐体２の透光部２ａに対応する位置に、周方向に等間隔に離間して配置されている。従って、発光素子７、７、・・・の発光状態を、透光部２ａを介して外部から視認することができる。
【００２０】
発光素子７、７、・・・はそれぞれ第１の発光部７ａ、７ａ、・・・及び第２の発光部７ｂ、７ｂ、・・・の２つの発光部を有している（図３参照）。リモートコントロール装置１にあっては、第１の発光部７ａと第２の発光部７ｂとを各別に発光させることが可能であり、例えば、第１の発光部７ａは黄緑色の光を発し、第２の発光部７ｂは赤色の光を発し、第１の発光部７ａと第２の発光部７ｂとが同時に発光されたときには橙色の光を発する。
【００２１】
リモートコントロール装置１は、使用されるソフトウェアに応じた色で発光素子７、７、・・・を発光する色選択機能を有している。この色選択機能については後述する。
【００２２】
リモートコントロール装置１にはパーソナルコンピュータ１００を介して電源が供給され、リモートコントロール装置１に電源が供給されると発光素子７が点灯される。このとき、例えば、第１の発光部７ａが発光されて黄緑色の光が発せられる。
【００２３】
このように、リモートコントロール装置１に電源が供給されたときに発光素子７が点灯されるため、リモートコントロール装置１の操作が可能になったことを発光素子７、７、・・・の点灯によって確認することができ、リモートコントロール装置１の使い勝手の向上を図ることができる。
【００２４】
リモートコントロール装置１は、動作が正常に行われている限り、発光素子７が点灯される。従って、発光素子７が点灯されている状態においてはリモートコントロール装置１が正常に使用可能であることを判別することができる。
【００２５】
尚、リモートコントロール装置１は、一定時間、例えば、１８０秒間、回転操作摘子４、センター摘子５又はＡ釦〜Ｆ釦に対する何れの操作も行われないときには、発光素子７、７、・・・が点滅されるようになっている。リモートコントロール装置１にあっては、この点滅時には省電力モードとされており、非使用時における省電力を図ることができる。
【００２６】
回路基板６には発光素子７、７、・・・の発光状態の制御等を行う制御部８が設けられ、該制御部８は、例えば、ＣＰＵ（中央演算処理装置）である。
【００２７】
以下に、リモートコントロール装置１の回路構成及びその動作について説明する（図４参照）。
【００２８】
リモートコントロール装置１には、回転角度検出部９、回転方向検出部１０、回転速度検出部１１、第１の操作検出部１２及び第２の操作検出部１３が設けられている。
【００２９】
回転角度検出部９は回転操作摘子４の回転操作の角度を検出し、回転操作摘子４の１クリックの回転操作毎に１パルスを発生して制御部８に送出する。
【００３０】
回転方向検出部１０は回転操作摘子４の回転操作の方向を検出し、回転操作の方向に応じた検出信号を制御部８に送出する。
【００３１】
回転速度検出部１１は回転操作摘子４の回転操作の速度を検出し、回転操作の速度に応じた検出信号を制御部８に送出する。
【００３２】
第１の操作検出部１２はセンター摘子５の操作状態、即ち、上下左右への操作の状態、押圧操作の状態及び操作回数を検出し、これらの操作状態に応じた検出信号を制御部８に送出する。
【００３３】
第２の操作検出部１３はＡ釦、Ｂ釦、Ｃ釦、Ｄ釦、Ｅ釦及びＦ釦の操作状態を検出し、操作状態に応じた検出信号を制御部８に送出する。
【００３４】
制御部８はカウントレジスターＡ、カウントレジスターＢ、タイマー８ａ、メモリーコントローラー８ｂ及び発光素子レジスター（以下、「ＬＥＤレジスター」と言う。）８ｃを有している。
【００３５】
カウントレジスターＡ及びカウントレジスターＢは、例えば、「０」から「４」までの値を記憶することができ、カウントレジスターＡには回転速度検出部１１の検出信号に応じた値が入力されて記憶される。
【００３６】
タイマー８ａは、例えば、「０」から「１８０」までの値を記憶することができる。タイマー８ａには回転操作摘子４、センター摘子５又はＡ釦〜Ｆ釦に対する操作が行われたときに、例えば、「０」の値が記憶され、その後、１秒間に対して１カウントが加算され、上記のように、回転操作摘子４、センター摘子５又はＡ釦〜Ｆ釦の何れにも操作が１８０秒間行われなかったときに「１８０」の値が記憶されて発光素子７、７、・・・が点滅されて省電力モードとなる。
【００３７】
メモリーコントローラー８ｂはバッファメモリー１４に接続されており、該バッファメモリー１４に対する各指令値の書き込み及び読み出しを制御する。
【００３８】
ＬＥＤレジスター８ｃは所定の値を記憶することができ、例えば、発光素子７、７、・・・を時計回り方向において順にＬＥＤ１、ＬＥＤ２、ＬＥＤ３、ＬＥＤ４とすると、ＬＥＤレジスター８ｃに「１」が入力されたときにＬＥＤ１が１回点滅され、以下同様に、ＬＥＤレジスター８ｃに「２」、「３」、「４」が入力されたときにそれぞれＬＥＤ２、ＬＥＤ３、ＬＥＤ４が１回点滅される。
【００３９】
リモートコントロール装置１には電源供給部１５が設けられている。電源供給部１５にパーソナルコンピュータ１００を介して電源が供給されると、電源供給部１５から電源入力信号が制御部８に送出され、上記したように、発光素子７が点灯される。
【００４０】
以下に、リモートコントロール装置１に設けられた各摘子及び各釦の機能について説明する。
【００４１】
回転操作摘子４は時計回り方向又は反時計回り方向へ回転操作され、１クリック毎に所定の角度ずつ回転される。回転操作摘子４は主にビデオの編集作業を行う場合に操作され、回転操作摘子４を回転操作することにより、画像（コマ）を送るコマ送り、コマ戻し、早送り又は早戻しを行うことができる。例えば、回転操作摘子４を低速で時計回り方向へ回転すると１クリック毎に１コマずつ送るコマ送りが行われ、低速で反時計回り方向へ回転すると１クリック毎に１コマずつ戻すコマ戻しが行われ、高速で時計回り方向へ回転すると１クリック毎に５コマずつ送る早送りが行われ、高速で反時計回り方向へ回転すると１クリック毎に５コマずつ戻す早戻しが行われる。
【００４２】
回転操作摘子４が回転操作されるときには、周方向に配置された発光素子７、７、・・・が順に１回ずつ点滅される。例えば、回転操作摘子４を低速で回転すると１クリック毎に発光素子７が１回点滅され、高速で回転すると１クリック毎に４つの発光素子７、７、・・・が１回ずつ順に点滅される。尚、回転操作摘子４の回転操作が開始されるときには、既に点灯されていた発光素子７は消灯される。
【００４３】
このようにリモートコントロール装置１にあっては、回転操作摘子４に対する操作速度に応じて発光素子７、７、・・・の発光のタイミングが変更されるため、現在の操作モードがコマ送り若しくはコマ戻しか、又は、早送り若しくは早戻しかを発光素子７、７、・・・の発光状態によってディスプレイ１０２を見ることなく判別することができ、使い勝手の向上を図ることができる。
【００４４】
上記のように回転操作摘子４が回転操作されるときには、回転操作摘子４が時計回り方向へ回転されると時計回り方向にある発光素子７、７、・・・が順に発光され、回転操作摘子４が反時計回り方向へ回転されると反時計回り方向にある発光素子７、７、・・・が順に発光される。
【００４５】
このようにリモートコントロール装置１にあっては、回転操作摘子４に対する操作方向に応じて発光素子７、７、・・・の発光の順序が変更され、時計回り方向の操作においては発光素子７、７、・・・も時計回り方向へ回転するイメージが得られ、反時計回り方向の操作においては発光素子７、７、・・・も反時計回り方向へ回転するイメージが得られる。従って、現在の操作モードを発光素子７、７、・・・の発光状態によってディスプレイ１０２を見ることなく判別することができ、使い勝手の向上を図ることができる。
【００４６】
センター摘子５は、上記したように、上下左右の４方向への操作又は押圧操作が行われる。例えば、左右方向へ操作することにより画像の再生又は逆再生を行うことができ、上下方向へ操作することにより音量の調整を行うことができ、押圧操作することにより一時停止を行うことができる。
【００４７】
Ａ釦、Ｂ釦、Ｃ釦、Ｄ釦、Ｅ釦、Ｆ釦は、使用するソフトウェアによって機能が異なる。
【００４８】
リモートコントロール装置１は複数の所定のソフトウェアの操作を行うことができ、以下に、例として、「Ａｄｏｂｅ　Ｐｒｅｍｉｅｒｅ　６．０」（アドビシステムズ株式会社の商品名）を用いた場合に、回転操作摘子４、センター摘子５又はＡ釦〜Ｆ釦が操作されたときの動作について説明する。
【００４９】
回転操作摘子４については、低速での回転操作により回転方向に応じてコマ送り又はコマ戻しを行うことができ、高速での回転操作により回転方向に応じて早送り又は早戻しを行うことができる。
【００５０】
センター摘子５については、右方向に１回操作することにより画像の再生又は一時停止状態の解除を行うことができ、右方向に２回続けて操作することにより画像の高速再生を行うことができ、左方向に１回操作することにより画像の逆再生を行うことができ、左方向に２回続けて操作することにより画像の高速逆再生を行うことができる。
【００５１】
センター摘子５を上下方向に操作することにより音量調整を行うことができ、押圧操作することにより再生又は逆再生の一時停止を行うことができる。
【００５２】
Ａ釦を操作することにより、直前に編集を行っていた位置に移動することができ、Ｂ釦を操作することにより、次に編集を行う位置に移動することができる。Ｃ釦を操作することにより、指定した位置にビデオ画像を挿入することができ、Ｄ釦を操作することにより、指定したビデオ画像を除去することができる。ビデオ画像の除去は、例えば、コマーシャルビデオのカットを行う場合である。Ｅ釦を操作することにより、ビデオ画像の挿入又は除去等を行う開始位置を指定することができ、Ｆ釦を操作することにより、ビデオ画像の挿入又は除去等を行う終了位置を指定することができる。
【００５３】
次に、リモートコントロール装置１に設けられた発光素子７、７、・・・が発光されるときの各動作について、図５及び図６のフローチャート図を参照して説明する。
【００５４】
先ず、回転操作摘子４が回転操作されたときに発光素子７、７、・・・が発光されるときの動作について説明する（図５参照）。
【００５５】
以下には、例として、回転操作摘子４が時計回り方向へ回転されたときの動作について説明する。
【００５６】
（Ｓ１）回転操作摘子４が回転操作されると、高速での回転操作か否かが回転速度検出部１１によって検出される。高速での回転操作であることが検出された場合には（Ｓ２）に移行し、高速での回転操作でないことが検出された場合には低速での回転操作であり、（Ｓ３）に移行する。
【００５７】
（Ｓ２）カウントレジスターＡに「４」が記憶される。
【００５８】
（Ｓ３）カウントレジスターＡに「１」が記憶される。
【００５９】
（Ｓ４）ＬＥＤレジスター８ｃには「１」が記憶されている。
【００６０】
（Ｓ５）カウントレジスターＡに記憶された値「４」又は「１」がカウントレジスターＢにコピーされる。
【００６１】
（Ｓ６）回転操作摘子４が１クリックされたか否かが回転角度検出部９によって検出される。１クリックされたことが検出された場合には（Ｓ７）に移行し、１クリックされなかったことが検出された場合には、１クリックされたか否かの回転角度検出部９による検出が引き続き行われる。
【００６２】
（Ｓ７）ＬＥＤレジスター８ｃには「１」が記憶されているため、ＬＥＤ１が点灯される。
【００６３】
（Ｓ８）１００ｍｓｅｃの間、ＬＥＤ１の点灯状態が維持される。
【００６４】
（Ｓ９）ＬＥＤ１が消灯される。
【００６５】
（Ｓ１０）１０ｍｓｅｃの間、ＬＥＤ１の消灯状態が維持される。
【００６６】
（Ｓ１１）ＬＥＤレジスター８ｃに１つプラスされた値、例えば、「２」が記憶される。
【００６７】
（Ｓ１２）ＬＥＤレジスター８ｃに記憶された値が「５」であるか否かが制御部８によって検出される。記憶された値が「５」であることが検出された場合には（Ｓ１３）に移行し、記憶された値が「５」でないことが検出された場合には（Ｓ１４）に移行する。
【００６８】
（Ｓ１３）ＬＥＤレジスター８ｃに「１」が記憶される。
【００６９】
（Ｓ１４）カウントレジスターＢに１つマイナスされた値が記憶される。
【００７０】
（Ｓ１５）カウントレジスターＢに記憶された値が「０」であるか否かが制御部８によって検出される。記憶された値が「０」であることが検出された場合には（Ｓ６）に移行し再び回転操作摘子４が１クリックされたか否かが回転角度検出部９によって検出される。一方、記憶された値が「０」でないことが検出された場合には（Ｓ７）に移行し、ＬＥＤが点灯される。このときカウントレジスターＢに記憶された値に応じた数のＬＥＤの点灯及び消灯が繰り返される。
【００７１】
次に、リモートコントロール装置１の色選択機能が発揮されるときの動作について説明する（図６参照）。色選択機能は、上記したように、使用されるソフトウェアに応じた色で発光素子７、７、・・・が発光される機能である。
【００７２】
（Ｔ１）発光素子７の第１の発光部７ａ及び第２の発光部７ｂが消灯された状態にある。
【００７３】
（Ｔ２）ソフトウェアＡ、ソフトウェアＢ又はソフトウェアＣの何れかが選択されたか否かが、パーソナルコンピュータ１００の図示しない検出部によって検出される。３つのソフトウェアＡ、Ｂ、Ｃの何れかのソフトウェアが選択されたことが検出された場合には（Ｔ３）に移行し、３つのソフトウェアＡ、Ｂ、Ｃの何れもが選択されなかったことが検出された場合には、ソフトウェアＡ、ソフトウェアＢ又はソフトウェアＣの何れかが選択されたか否かの検出部による検出が引き続き行われる。
【００７４】
（Ｔ３）選択されたソフトウェアがソフトウェアＡであるか否かが検出部によって検出される。ソフトウェアＡであることが検出された場合には（Ｔ４）に移行し、ソフトウェアＡでないことが検出された場合には（Ｔ６）に移行する。
【００７５】
（Ｔ４）パーソナルコンピュータ１００の検出部からリモートコントロール装置１の制御部８に対して「ＳＥＬＥＣＴ−Ａ」の指令信号が送出され制御部８に入力される（入力ステップ）。
【００７６】
（Ｔ５）制御部８によって入力された指令信号の種類が判別され（判別ステップ）、判別された「ＳＥＬＥＣＴ−Ａ」の指令信号に基づいて制御部８から発光素子７の第１の発光部７ａのみに発光信号が送出され（送出ステップ）、第１の発光部７ａが点灯されて黄緑色の光が発せられる。第１の発光部７ａが点灯されると（Ｔ２）に移行し、ソフトウェアＡ、ソフトウェアＢ又はソフトウェアＣの何れかが選択されたか否かが検出部によって検出される。
【００７７】
（Ｔ６）選択されたソフトウェアがソフトウェアＢであるか否かが検出部によって検出される。ソフトウェアＢであることが検出された場合には（Ｔ７）に移行し、ソフトウェアＢでないことが検出された場合には（Ｔ９）に移行する。
【００７８】
（Ｔ７）パーソナルコンピュータ１００の検出部からリモートコントロール装置１の制御部８に対して「ＳＥＬＥＣＴ−Ｂ」の指令信号が送出され制御部８に入力される（入力ステップ）。
【００７９】
（Ｔ８）制御部８によって入力された指令信号の種類が判別され（判別ステップ）、判別された「ＳＥＬＥＣＴ−Ｂ」の指令信号に基づいて制御部８から発光素子７の第２の発光部７ｂのみに発光信号が送出され（送出ステップ）、第２の発光部７ｂが点灯されて赤色の光が発せられる。第２の発光部７ｂが点灯されると（Ｔ２）に移行し、ソフトウェアＡ、ソフトウェアＢ又はソフトウェアＣの何れかが選択されたか否かが検出部によって検出される。
【００８０】
（Ｔ９）選択されたソフトウェアがソフトウェアＣであるか否かが検出部によって検出される。ソフトウェアＣであることが検出された場合には（Ｔ１０）に移行する。ソフトウェアＣでないことが検出された場合には（Ｔ１２）に移行し、ソフトウェアＡ、ソフトウェアＢ又はソフトウェアＣの何れかが選択されたか否かが検出部によって検出される。
【００８１】
（Ｔ１０）パーソナルコンピュータ１００の検出部からリモートコントロール装置１の制御部８に対して「ＳＥＬＥＣＴ−Ｃ」の指令信号が送出され制御部８に入力される（入力ステップ）。
【００８２】
（Ｔ１１）制御部８によって入力された指令信号の種類が判別され（判別ステップ）、判別された「ＳＥＬＥＣＴ−Ｃ」の指令信号に基づいて制御部８から発光素子７の第１の発光部７ａ及び第２の発光部７ｂに発光信号が送出され（送出ステップ）、第１の発光部７ａ及び第２の発光部７ｂが点灯されて橙色の光が発せられる。第１の発光部７ａ及び第２の発光部７ｂが点灯されると（Ｔ２）に移行し、ソフトウェアＡ、ソフトウェアＢ又はソフトウェアＣの何れかが選択されたか否かが検出部によって検出される。
【００８３】
尚、ソフトウェアＡ、ソフトウェアＢ及びソフトウェアＣ以外のソフトウェアが選択された場合には、制御部８から発光素子７に発光信号が送出されないため、発光素子７、７、・・・は点灯されず消灯されたままである。
【００８４】
以上に記載した通り、リモートコントロール装置１にあっては、発光素子７、７、・・・がパーソナルコンピュータ１００からの指令信号の種類に応じた色で発光されるため、発光素子７、７、・・・の表示色によって何れのソフトウェアが選択されているかが一見して判別可能であり、リモートコントロール装置１の使い勝手の向上を図ることができる。
【００８５】
尚、上記には、リモートコントロール装置１がパーソナルコンピュータ１００に接続される例を示したが、リモートコントロール装置１が接続される情報処理機器はパーソナルコンピュータ１００に限られることはなく、情報処理機器は、例えば、画像編集や音楽編集等を行うことができる各種の編集機器、ＰＤＡ（Ｐａｓｏｎａｌ　Ｄｉｇｉｔａｌ　Ａｓｓｉｓｔａｎｃｅ）、ネットワーク端末やワークステーション等であってもよい。
【００８６】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【００８７】
【発明の効果】
以上に記載したところから明らかなように、本発明リモートコントロール装置は、情報処理機器における各種の処理動作時に該情報処理機器に対して操作信号を送出して操作するリモートコントロール装置であって、筐体に回転自在に支持された回転操作摘子と、複数の異なる色で発光可能な発光素子と、上記処理動作時における情報処理機器からの指令信号又は回転操作摘子に対する操作に基づいて発光素子の発光状態を制御する制御部とを備え、上記発光素子が情報処理機器からの指令信号の種類に応じた色で発光されるようにしたことを特徴とする。
【００８８】
従って、発光素子の表示色によって情報処理機器の状態を一見して判別可能であり、リモートコントロール装置の使い勝手の向上を図ることができる。
【００８９】
請求項２に記載した発明にあっては、発光素子を複数設けて回転操作摘子の周方向に離間して配置し、回転操作摘子に対する操作速度に応じて複数の発光素子の発光のタイミングを変更するようにしたので、現在の操作モードを発光素子の発光状態によって判別することができ、使い勝手の向上を図ることができる。
【００９０】
請求項３に記載した発明にあっては、発光素子を複数設けて回転操作摘子の周方向に離間して配置し、回転操作摘子に対する操作方向に応じて複数の発光素子の発光の順序を変更するようにしたので、現在の操作モードを発光素子の発光状態によって判別することができ、使い勝手の向上を図ることができる。
【００９１】
本発明リモートコントロール装置による制御方法は、情報処理機器における各種の処理動作時に該情報処理機器に対して操作信号を送出して操作するリモートコントロール装置による制御方法であって、リモートコントロール装置は、筐体に回転自在に支持された回転操作摘子と、複数の異なる色で発光可能な発光素子と、上記処理動作時における情報処理機器からの指令信号又は回転操作摘子に対する操作に基づいて発光素子の発光状態を制御する制御部とを備え、情報処理機器から送出された指令信号の種類を制御部によって判別し、制御部による判別結果に応じた色で発光素子を発光させるようにしたことを特徴とする。
【００９２】
従って、発光素子の表示色によって情報処理機器の状態を一見して判別可能であり、リモートコントロール装置の使い勝手の向上を図ることができる。
【００９３】
本発明リモートコントロール装置による制御プログラムは、情報処理機器における各種の処理動作時に該情報処理機器に対して操作信号を送出して操作するリモートコントロール装置による制御プログラムであって、リモートコントロール装置は、筐体に回転自在に支持された回転操作摘子と、複数の異なる色で発光可能な発光素子と、上記処理動作時における情報処理機器からの指令信号又は回転操作摘子に対する操作に基づいて発光素子の発光状態を制御する制御部とを備え、情報処理機器から送出された指令信号が制御部に入力される入力ステップと、入力された指令信号の種類を制御部によって判別する判別ステップと、判別結果に応じた色で発光素子を発光させる発光信号を制御部から送出する送出ステップとを備えたことを特徴とする。
【００９４】
従って、発光素子の表示色によって情報処理機器の状態を一見して判別可能であり、リモートコントロール装置の使い勝手の向上を図ることができる。
【図面の簡単な説明】
【図１】図２乃至図６と共に本発明の実施の形態を示すものであり、本図はリモートコントロール装置が情報処理機器に接続された状態を示す斜視図である。
【図２】リモートコントロール装置の拡大平面図である。
【図３】発光素子の概念図である。
【図４】リモートコントロール装置の回路構成を示すブロック図である。
【図５】回転操作摘子が回転操作されたときに発光素子が発光されるときの動作を示すフローチャート図である。
【図６】リモートコントロール装置の色選択機能が発揮されるときの動作を示すフローチャート図である。
【符号の説明】
１…リモートコントロール装置、４…回転操作摘子、７…発光素子、８…制御部、１００…パーソナルコンピュータ（情報処理機器）
【図１】
2004102491.tif 000003
【図２】
2004102491.tif 000004
【図３】
2004102491.tif 000005
【図４】
2004102491.tif 000006
【図５】
2004102491.tif 000007
【図６】
2004102491.tif 000008